(57)【特許請求の範囲】
【請求項１】
浴槽の上面開口部に閉鎖状態に設けられ、少なくとも第１、第２および第３の寝台板部からなり、これら寝台板部はリンクにより支持され、各リンクの選択的変位により駆動されて前記第１の寝台板部と前記第２の寝台板部との間、ならびに前記第２の寝台板部と前記第３の寝台板部との間で、略水平状態の就寝位置と下方に変位して椅子形をなす使用位置との間で移動可能に枢支されている寝台部と、
前記第１の寝台板部に回動変位可能に設けられた押し上げ板部を回動させることにより、前記就寝位置にいる使用者の臀部を前記寝台部から浮き上げて下着の着脱に供するため軸方向に移動可能なロッドを有する駆動装置と、
前記第１および第２の寝台板部に互いに連動関係に設けられ、前記寝台部が前記就寝位置から前記使用位置に変位することに伴い、使用者の身長方向にわずかに移動させることにより、使用者と前記寝台部との間の擦れを吸収するスライド部とを具備し、
前記寝台部のうち少なくとも前記第１の寝台板部と前記第２の寝台板部との相互の境界部には、これら寝台板部に跨がって弾性シートが張り渡され、前記寝台部の回動時、前記寝台部に敷かれた布団が前記寝台板部の間に挟まれないようにしていることを特徴とする寝たきり病人用等の身辺介護装置。
【請求項２】
前記第３の寝台板部には、脚板部が回動変位可能に連結されており、該脚板部には、前記寝台部が前記就寝位置から前記使用位置に変位することに伴い、外方にわずかに移動するスライド部が設けられていることを特徴とする請求項１に記載の寝たきり病人用等の身辺介護装置。
【請求項３】
前記浴槽の上面開口部の外周縁部には、該外周縁部に枢支されて略水平なアーム部を有する複数の骨部と該骨部に取り付けられた幌布からなる天蓋部材が設けられ、使用者の所望に応じて前記骨部が互いに重なり合う位置から扇状に開く位置に回動変位し、入浴する使用者を覆うようになっていることを特徴とする請求項１に記載の寝たきり病人用等の身辺介護装置。
【請求項４】
前記第２の寝台板部には、開閉可能な開口部が形成され、前記浴槽の底部には便器が設置されており、前記寝台部が前記就寝位置から前記使用位置に変位したときには、前記開口部が前記便器の入口に合致するようになっていることを特徴とする請求項１に記載の寝たきり病人用等の身辺介護装置。
【発明の詳細な説明】
【０００１】
【発明の属する技術分野】
本発明は、自力で身動きができない状態でも最少の人手で用便や入浴が行われるように改良した寝たきり病人用等の身辺介護装置に関する。
【０００２】
【従来の技術】
自力で身動きができない状態の寝たきり病人においては、献身的な家庭や病院での行き届いた介護も、患者の体位変換ができず、床ずれになりやすい。また、用便や入浴に多大な労力を有し、長期に付き添いを配することは費用的にはもちろん、闘病に伴う病人自身も心理的に負担を感じ、家族が不愉快な毎日を送る結果になる。現在、用便においては便器の差し込み、腰掛便器までの移動、オムツカバ−の取り付け、入浴においては看護人の抱きかかえ、担架、リフト等で行っているが病人本人も移動、入浴に非常に不安を感じるとともに看護人の肉体的労力は限界を越えている。これが為に毎日清潔で爽快に過ごしたい病人も自ずと入浴の回数が減り、寝たきり病人特有の悪臭に悩まされているのが実情である。
【０００３】
【発明が解決しようとする課題】
従って、人手を借りずに略自動的に随意に用が足せて、極力人手を借りずに用便や入浴といった身の回りの世話を済ますことのできる寝たきり病人用等の身辺介護装置の登場が望まれている。この事情はやがて老齢化社会を迎えなければならない内外を巡る客観情勢を考慮すると、看過することのできない緊迫した必要性がある。
【０００４】
本発明は上記の事情を考慮してなされたもので、その目的はほとんど付き添い無しで必要最少限で用を足せて、あわせて極力人手を借りずに用便や入浴といった身の回りの世話を済ますことができ、しかも看護人の労力を省くのはもちろん、病人本人が多少の時間がかかっても自分で随意に行いたい、他人に見られたくないという希望に適し、入浴を毎日してきれいな状態でいることによって余病の防止にもなるといった効果を有する寝たきり病人用等の身辺介護装置を提供することにある。
【０００５】
【課題を解決するための手段】
（請求項１の手段）
浴槽の上面開口部に閉鎖状態に設けられ、少なくとも第１、第２および第３の寝台板部からなり、これら寝台板部はリンクにより支持され、各リンクの選択的変位により駆動されて第１の寝台板部と第２の寝台板部との間、ならびに第２の寝台板部と第３の寝台板部との間で、略水平状態の就寝位置と下方に変位して椅子形をなす使用位置との間で移動可能に枢支されている寝台部と、第１の寝台板部に回動変位可能に設けられた押し上げ板部を回動させることにより、就寝位置にいる使用者の臀部を寝台部から浮き上げて下着の着脱に供するため軸方向に移動可能なロッドを有する駆動装置と、第１および第２の寝台板部に互いに連動関係に設けられ、寝台部が就寝位置から使用位置に変位することに伴い、使用者の身長方向にわずかに移動させることにより、使用者と寝台部との間の擦れを吸収するスライド部とを具備し、前記寝台部のうち少なくとも前記第１の寝台板部と前記第２の寝台板部との相互の境界部には、これら寝台板部に跨がって弾性シートが張り渡され、前記寝台部の回動時、前記寝台部に敷かれた布団が前記寝台板部の間に挟まれないようにしていることを特徴とする。
【０００６】
（請求項１の手段の作用および効果）
駆動装置の作動により、第１の寝台板部が上方に回動して、就寝位置にいる使用者の臀部を第１の寝台板部から浮き上げることができるので、この状態で下着の交換や用便等のときの脱衣が容易になり、とりわけ体重の嵩む使用者の場合には至便である。さらには、第１および第２の寝台板部上のスライド部が身長方向に微小変位することにより、使用位置への移動に伴って使用者の背中や尻部が無理に擦れることがなくなり、円滑な動作で位置換えが可能となるため快適で使い勝手が良くなる。
また、寝台部が使用位置に変位することに伴い、例えば第１の寝台板部が第２の寝台板部に対して回動して曲がり、これら寝台板部間の境界部が狭くなるが、少なくとも前記第１の寝台板部と第２の寝台板部との境界部に設けられた弾性シートにより、寝台部に敷かれた布団が寝台板部の間に挟まれるようなことが未然に防がれる。
【０００７】
（請求項２の手段）
請求項２の寝たきり病人用等の身辺介護装置では、前記第３の寝台板部には、脚板部が回動変位可能に連結されており、該脚板部には、前記寝台部が前記就寝位置から前記使用位置に変位することに伴い、外方にわずかに移動するスライド部が設けられていることを特徴とする。
【０００８】
（請求項２の手段の作用および効果）
前記寝台部が前記就寝位置から前記使用位置に変位することに伴い、脚板部が使用者の足を支えるとともに、この際に外方にわずかに移動するので、寝台部が椅子形をなしたときには、使用者の脚が座りやすい位置に変位し、このため使用者が無力な場合であっても安心で違和感を与えることがなくなり、使い勝手が良くなる。
【０００９】
（請求項３の手段）
請求項３の寝たきり病人用等の身辺介護装置では、前記浴槽の上面開口部の外周縁部には、該外周縁部に枢支されて略水平なアーム部を有する複数の骨部と該骨部に取り付けられた幌布からなる天蓋部材が設けられ、使用者の所望に応じて前記骨部が互いに重なり合う位置から扇状に開く位置に回動変位し、入浴する使用者を覆うようになっていることを特徴とする。
【００１０】
（請求項３の手段の作用および効果）
使用者が入浴するときには、骨部を回動変位させて天蓋部材により使用者を覆うことができるので、入浴する内部の様子を見られることがなくなり、積極的に入浴の履行を図ることができる。また、この天蓋部材の使用により、浴槽から生じる湯気を極力内部に留めて外部に漏れることを避けることができる。このため、本装置を室内に設置した場合には、室内が湯気で充満するといったことが極力避けられて好都合である。
【００１３】
（請求項４の手段）
請求項４の寝たきり病人用等の身辺介護装置では、前記第２の寝台板部には、開閉可能な開口部が形成され、前記浴槽の底部には便器が設置されており、前記寝台部が前記就寝位置から前記使用位置に変位したときには、前記開口部が前記便器の入口に合致するようになっていることを特徴とする。
【００１４】
（請求項４の手段の作用および効果）
寝台部が就寝位置にあるとき、使用者の下着を脱衣しておいた上で、開口部の蓋を取り外した状態で使用位置に変位させれば、第２の寝台板部の開口部が便器の入口に自動的に合致するので、そのまま用便を済ますことができ、最小限の人手で用が足せて、看護人の負担が軽減され、来るべき老齢化社会に優れて対応可能な、きめの細かい配慮で行き届いた身辺介護装置を提供する目的に適う。
【００１５】
【発明の実施の形態】
本発明の寝たきり病人用等の身辺介護装置の一実施例を図１および図２に基づき説明する。
【００１６】
［実施例の構成］
図１ないし図３は、本発明に関する身辺介護装置の全体的な概略図を示したもので、浴槽１は例えば矩形の枠組み構造１ｂにより囲まれて家屋の室内に設置されたもので、浴槽１の上面開口部１ａには、全体的には平坦な寝台部２が設置されている。この寝台部２は第１、第２および第３の寝台板部３、４、５からなり、これらの寝台板部３、４、５は互いに隣接する境界部においてヒンジピン６，７により回動可能に枢支されている。また、第３の寝台板部５には、脚板部８がヒンジピン９により回動可能に枢支されている。１０は止め板で、第３の寝台板部５のヒンジピン９の反対側にピン止めされており、寝台部２に敷かれ使用者１２が敷くための敷布団１１の下端部に当たって布団のずれを阻止している。１３は浴槽１の上面開口部１ａを横切るように渡され回転可能に設けられた支軸で、これには第１の寝台板部３が固定状態に支持されている。第１の寝台板部３と第３の寝台板部５とは、リンク１４によりピン１４ａ、１４ｂを介して連結されているとともに、このリンク１４はリンク１５にピン１５ａ、１５ｂおよびリンク１６を介して脚板部８に連結されている。また、第２の寝台板部４の下方に立設された腕部１７と第１の寝台板部３の下方に立設されリンク１４に連結された腕部１８との間には、リンク１９がピン１９ａ、１９ｂを介して連結されている。これらのリンク１４、１５、１６、１９とピン１４ａ、１４ｂ、１５ａ、１５ｂ、１９ａ、１９ｂからなるリンク機構２０により寝台部２が全体的に支軸１３により片持状態となって略水平状態の就寝位置に保持されている。なお、１９ｃはリンクアームで、これの一端部はリンク１９のピン１９ａに連結され、他端部は浴槽１の側面部にピン１９ｄにより連結され、これにより後述するように寝台部２が就寝位置から使用位置に変わるとき、第２の寝台板部４を支えることにより寝台部２の折れ曲がり移動を安定化させている。
【００１７】
２１は回転駆動装置で、これは浴槽１の側面で枠組み構造１ｂに固定されており、駆動モータ２２と該駆動モータ２２により軸方向に往復移動する雄ねじ棒２３を有している。この雄ねじ棒２３の先端部はピン２４およびリンク２５を介して支軸１３に固定されている。そして、駆動モータ２２に通電されると、雄ねじ棒２３が矢印ｌ方向に移動してリンク２５および支軸１３を介して第１の寝台板部３が支軸１３の周りに矢印ｍ方向に回動する。この回動に伴い、リンク機構２０の連動作用により第２の寝台板部４、第３の寝台板部５および脚板部８がヒンジピン６、７、９を中心に回動するため、寝台部２は就寝位置から図３に示すようにヒンジピン６、７、９の部分で折れ曲がって、寝台部２が全体的に椅子形を呈する使用位置に変位する。この状態で、予め敷布団１１および着布団１１ａを取り除いておいた場合には、浴槽１内へ湯が供給されるときには入浴でき、湯の供給がない状態では浴槽１内の底部に設けられた便器２６により後述するように用便に供されるようになっている。このため第２の寝台板部４には、使用者１２の臀部１２ａに対応する開口部４ａが形成されており、敷布団１１の裏面には開口部４ａを閉鎖する蓋部Ｆを有し、入浴や用便に際して敷布団１１を寝台部２から取り外す動作に伴い、蓋部Ｆが自動的に開口部４ａから外れて開放するようになっている。そして、リンク機構２０の共同作用により寝台部２は就寝位置から図３に示すようにヒンジピン６、７、９の部分で折れ曲がって、椅子形を呈する使用位置に変位した場合には、開口部４ａが、手動により予め開けられた便器２６の入口２６ａに合致するようになっている。なお、１ｆは入浴後に浴槽１内に供給された湯を抜くための排出口である。
【００１８】
図４においては、使用者１２が下着の交換あるいは、用便に際して下着の脱衣をするにあたって使用者１２の臀部１２ａを寝台部２から浮き上げるための浮き上げ装置２７を示すもので、この浮き上げ装置２７は枠組み構造１ｂにコイルスプリング２７ａにより支軸２７ｂを中心に左右に揺動可能に枢支され、常に、浮き上げ装置２７を浴槽１側に近接方向に付勢している。そして、この浮き上げ装置２７は、ラック２８を上下方向に往復駆動する駆動モータ２９と該ラック２８の先端に固定されたフック部３０を備えている。３１は第１の寝台板部３を構成する外枠３２内に設けられた内枠であり、この内枠３１の底部位には梁３３を介して短寸で断面コ字状のレ−ル部３４が縦方向に取り付けられている。３５は支軸１３に回動可能に枢支されたロッカーアームであり、この一端部にはレ−ル部３４内を移動するローラ３６が移動可能に連結され、他端部にはフック部３０に係合する係合ピン３７が取り付けられている。そして、就寝位置にあって下着の交換や脱衣をしたい場合には、例えば遠隔パネル（図示せず）を用いて、駆動モータ２９に通電すると、ラック２８が矢印ｎで示すように、下方に移動してフック部３０が係合ピン３７に係合するためロッカーアーム３５がローラ３６をレ−ル部３４に滑らせながら矢印ｏ方向に回動する。これにより第１の寝台板部３の内枠３１が支軸１３を中心に矢印ｏ方向に回動し、使用者１２の臀部１２ａが図５に示すように、寝台部２から浮き上がった取替位置に変位する。この変位に伴い、下押片部４０が下リミットスイッチ４１から離れるとともに、上押片部３８が上リミットスイッチ３９に当たって駆動モータ２９が断電され、ラック２８の下方移動が停止する。
この状態では比較的小さい力で着衣の交換等が可能となるので、看護人の負担が大幅に軽減され本装置の有効性が発揮される。この場合、使用者１２が特に体重が嵩む者の場合では効果的である。
また、下着の交換や脱衣を終えた場合には、再び遠隔パネルの操作により駆動モータ２９に通電すると、ラック２８が矢印ｎとは反対方向に上方に移動してフック部３０が係合ピン３７に対する係合から離れる。このためロッカーアーム３５がローラ３６をレ−ル部３４に滑らせながら矢印ｏ方向とは反対方向に回動する。これにより第１の寝台板部３の内枠３１が支軸１３を中心に矢印ｏとは反対方向に回動し、使用者１２の臀部１２ａが図５に示す寝台部２から浮き上がった取替位置から図４に示す元の水平状態の位置に復帰する。この変位に伴い、下押片部４０が下リミットスイッチ４１に当接するとともに、上押片部３８が上リミットスイッチ３９から離れて駆動モータ２９が断電され、ラック２８の上方移動が停止する。なお、４２は一端が浮き上げ装置２７の支軸２７ｂに取り付けられ、他端がローラ４３を有するストッパーで、フック部３０が係合ピン３７に対する係合から離れるべくラック２８が上方移動したとき、ラック２８の下方に取り付けられた中間押片部４４の斜面をローラ４３に押しつけるものである。これにより浮き上げ装置２７がコイルスプリング２７ａの付勢力に抗して支軸２７ｂの周りに矢印ｐ方向に若干回動するため、フック部３０が係合ピン３７から抜け出しやすくなるとともに、フック部３０が係合ピン３７からの離間距離を確保でき、これによりフック部３０の係合ピン３７に対する干渉を除いている。
【００１９】
図６は、擦れ吸収機構４５を示し、これは第１の寝台板部３の内枠３１の上面開口部１ａに図の左右方向にわずかに移動可能なスライド枠部４６を有している（図２参照）。この擦れ吸収機構４５においては、一対の滑動環４７が支軸１３に回動可能に嵌められ、この滑動環４７からは複数のリンク４８、４９、５０を順に介して浴槽１の上端外縁に固定されている。この滑動環４７のリンク４８、４９、５０の反対側に位置する部位には、支片５１が固定され、この支片５１はレバー５２を介してスライド枠部４６の右端下面部に連結されている。すなわち、レバー５２は、その一端をピン５３を介して支片５１に連結され、他端をピン５４を介してスライド枠部４６の下面部に連結している。しかして、就寝位置から使用位置に変位すべく寝台部２の第１の寝台板部３が支軸１３の周りに矢印ｑ方向に回動すると、レバー５２によりスライド枠部４６はピン５３を中心に回動するようになるため、スライド枠部４６は内枠３１内を図７の矢印ｒで示す図示上方向にわずかに移動する。これは、ピン５４と支軸１３との間の距離ｓよりもピン５４、５３同志間の距離ｔの方がわずかに長く設定されているためである。このため、スライド枠部４６の内枠３１内での移動量は、距離ｓ、ｔの寸法差如何により自在に設定できるものである。
このように、スライド枠部４６の内枠３１内で矢印ｒの方向に移動するため、第１の寝台板部３上に位置する使用者１２の背中は、寝台部２が椅子形位置に変位することに伴い、頭部の方向に微動されるようになる。これにより寝台部２の椅子形位置に回動する際に背中が下方に擦られるような感じがなくなり、使い勝手の良さが発揮されるものである。
【００２０】
図８および図９は、寝台部２における第１の寝台板部３と第２の寝台板部４との境界部分、すなわちヒンジピン６により第１の寝台板部３と第２の寝台板部４とが連結された部分の拡大断面図である。ヒンジピン６を挟んでは、第１の寝台板部３と第２の寝台板部４にかけて薄肉な弾性シート５５が例えば接着剤により張られている。この薄肉な弾性シート５５は、ゴムを始め各種可撓性に富む金属あるいはプラスチックにより形成されている。しかして、寝台部２が図９に示す椅子形位置をとってヒンジピン６を挟んで折れ曲がった場合に、弾性シート５５により敷布団１１が挟まるといった不都合が除かれ、使い勝手の良いものとなる。
なお、５６は薄板部材であり、これはスライド枠部４６上に内枠３１に掛かるように設置されたもので、スライド枠部４６とともに移動するようになっている。
【００２１】
図１０ないし図１２は、第２の寝台板部４に図示前後に一対設けられた擦れ吸収機構５７を示すものである（図２参照）。この擦れ吸収機構５７において、５８は第２の寝台板部４の外枠５９の上面開口部に設けたスライド枠であり、これは外枠５９内を図示左右方向にわずかに移動可能となるように設定されている。６０は回動レバーであり、これの一端は第３の寝台板部５に立設されピン１４ｂによりリンク１４に連結された腕部６１に回動可能にボルト６２により止められ、他端はピン６３により回動リンク６４に連結されている。この回動リンク６４は、外枠５９内に掛け渡された梁６５から横方向に延設された支持片６６上にピン６７を中心に回転可能に枢支されている。また、スライド枠５８には支持片６６に対応する位置に連結片６８が一体的に延設され、その延設端には縦方向の長孔６９を形成している。回動リンク６４のピン６３とは反対側の端部には、長孔６９内に受け入れられた突出ピン８０が立設されている。
しかして、寝台部２が図１０の就寝位置から図１２の使用位置に回動することに伴い、第３の寝台板部５がヒンジピン７を中心にして下方に折れ曲がるため回動レバー６０が図１１に矢印ｕ方向で示すように移動し、これにより回動リンク６４がピン６７を中心にして矢印ｖ方向に回動する。これに伴い、連結片６８が突出ピン８０および長孔６９を介して押されるためスライド枠５８を矢印ｗで示す方向に移動させ図１２に示す位置をとる。
これにより、第２の寝台板部４上に位置する臀部１２ａが図示右方に位置ずれされるため、寝台部２が椅子形の使用位置に回動する際に、第２の寝台板部４上の臀部１２ａが無理に擦れるといった不都合がなくなり、円滑な動作で位置換えが可能となる。
【００２２】
図１３は、寝台部２における第２の寝台板部４と第３の寝台板部５との境界部分、すなわちヒンジピン７により第２の寝台板部４と第３の寝台板部５とが連結された部分の拡大断面図である。ヒンジピン７を挟んでは、第２の寝台板部４と第３の寝台板部５にかけて薄肉な弾性シート８１が例えば接着剤により張られている。この薄肉な弾性シート８１は、番号５５で示したものと同様で、ゴムを始め各種可撓性に富む金属あるいはプラスチックにより形成されている。しかして、寝台部２が図１３に二点鎖線で示す椅子形位置をとって第２の寝台板部４と第３の寝台板部５とがヒンジピン７を挟んで折れ曲がった場合に、弾性シート８１により敷布団１１が挟まるといった不都合が除かれ、使い勝手の良いものとなる。  なお、８２は薄板部材であり、これはスライド枠５８上に外枠５９に掛かるように設置されたもので、スライド枠５８とともに移動するようになっており、該スライド枠５８の往復移動量ｘ相当の矢印で示している。
【００２３】
図１４ないし図１６は、脚板部８に図示前後に一対設けられた脚位置調整機構８３を示すものである（図２参照）。この脚位置調整機構８３において、８４は脚板部８の外枠８５の上面開口部に設けたスライド枠であり、これは外枠８５内を図示左右方向にわずかに移動可能となるように設定されている。８６は回動レバーであり、これの一端は第３の寝台板部５の左側下面部に立設された腕部８７に回動可能にボルト８８により止められ、他端はピン８９により回動リンク９０に連結されている。この回動リンク９０は、外枠８５内に掛け渡された梁９１から横方向に延設された支持片９２上にピン９３を中心に回転可能に枢支されている。また、スライド枠８４には支持片９２に対応する位置に連結片９４が一体的に延設され、その延設端には縦方向の長孔９５を形成している。回動リンク９０のピン８９とは反対側の端部には、長孔９５内に回動可能に受け入れられた突出ピン９６が立設されている。
しかして、寝台部２が図１４の就寝位置から図１６の使用位置に回動することに伴い、脚板部８がヒンジピン９を中心にして下方に折れ曲がり、腕部８７が内側に引き込まれるようになるため、回動レバー８６が図１５に矢印ｙ方向で示すように移動し、これにより回動リンク９０がピン９３を中心にして矢印ｚ方向に回動する。これに伴い、連結片９４が突出ピン９６および長孔９５を介して押されるためスライド枠８４を矢印ｄで示す方向に移動させ図１６に示す位置をとる。
これにより、脚板部８上に位置する使用者１２の脚部が外側に位置ずれされるため、寝台部２が椅子形の使用位置に回動する際に、使用者１２の脚部が内側に過剰に引き込まれるといった不都合がなくなり、円滑な動作で位置換えが可能となる。なお、敷布団１１の後端部に当接して擦れ止めをするための止め板１０は脚板部８上にピン止めされているので、寝台部２が就寝位置から使用位置に回動する過程で自重により図１６に示すように水平に倒れるようになっている。また、第２の寝台板部５上にも薄板部材９７が設置され、第１および第２の寝台板部３、４と同様な仕様状態となっている。
【００２４】
図１７ないし図２１は、とりわけ入浴時に使用者１２を外部から見られないようにするための天蓋部材９８を示すものである。この天蓋部材９８は、浴槽１を囲む枠組み構造１ｂの一側面略中央に設けられたＵ字状の固定部９９と、固定部９９を横切って貫く軸部１００を備え、この軸部１００は固定部９９を貫き出た端部にスプロケット１０１を嵌着している。このスプロケット１０１は鎖１０２を介して減速モータ１０３の駆動軸１０４に連結されている。そして、固定部９９の軸部１００には、例えば強化プラスチックからなる４本の骨部材１０５ａ、１０５ｂ、１０５ｃ、１０５ｄの下端部が図１８に示すように、互いに重なり合った状態で連結されており、最も外側の骨部材１０５ａが軸部１００に固定され、他の骨部材１０５ｂ、１０５ｃ、１０５ｄは軸部１００に自由回転可能に嵌め込まれている。そして、各骨部材１０５ａ、１０５ｂ、１０５ｃ、１０５ｄの上端部には、図１９に示すように略水平方向に延び、浴槽１の幅寸法に略見合った長さの棒状の腕部１０６ａ、１０６ｂ、１０６ｃ、１０６ｄがそれぞれ取り付けられ全体的に逆Ｌ字状を呈している。これらの骨部材１０５ａ、１０５ｂ、１０５ｃ、１０５ｄおよび腕部１０６ａ、１０６ｂ、１０６ｃ、１０６ｄには、薄いプラスチックシート等からなる幌布部材１０７が折り畳み可能に取り付けられており、通常は図１７に二点鎖線で示すように骨部材１０５ａ、１０５ｂ、１０５ｃ、１０５ｄおよび腕部１０６ａ、１０６ｂ、１０６ｃ、１０６ｄは浴槽１を囲むようにして水平方向に重なり合っている。
しかして、入浴あるいは用便時においては所望に応じて天蓋部材９８を使用すべく操作パネル等により減速モータ１０３に通電すると、鎖１０２によりスプロケット１０１が回転駆動されるため、軸部１００を介して先ず骨部材１０５ａおよび腕部１０６ａが軸部１００を中心に図１７に矢印ｅで示す方向に回動される。この回動に伴い、アコーディオン状に折り畳まれていた幌布部材１０７が伸びるため、これに取り付けられている骨部材１０５ｂが引かれて軸部１００を自由回動し、図２０および図２１に示す中間的過程をたどりつつ、ついで骨部材１０５ｃ、１０５ｄおよび腕部１０６ｃ、１０６ｄも同様に順次引かれて図２０および図２１に実線で示すように、全体的に扇形をなして浴槽１内の使用者１２を覆うように位置する。
このように、入浴あるいは用便時においては、使用者１２は天蓋部材９８により覆われて外部からは見え難くなるため、外部に気をとられることなくプライバシーをもって安心して用を足すことができ、とりわけ長患いで神経質な病人にとっては好適である。
【００２５】
以上のように本発明によれば、特に体重の嵩む使用者１２でも浮き上げ装置２７により腰および臀部１２ａを効果的に寝台部２から浮かせることができるので、介護の負担が効果的に軽減されるものである。また、擦れ吸収機構４５および５７により使用者１２の背中や臀部１２ａが無理に寝台板部３、４、５に擦れることが無くなり、使い勝手の良いものとなる。さらには、寝台板部３、４、５の境界部に弾性シート５５、８１を着用させたことにより敷布団１１が不用意に挟まれてしまうことがなく、至便である。また、寝台部２が使用位置に折れ曲がって変位する際には、使用者１２の脚部が外方に微移動するので、とりわけ脚の弱った者の場合には好適である。さらには、入浴に際しては湯気が天蓋部材９８により外部に漏れにくい利点を有し、入浴あるいは用便時においては、所望により使用者１２は天蓋部材９８により覆われて外部からは見え難くなるため、外部に気をとられることなくプライバシーをもって安心して用を足すことができ、なかでも長患いで神経質な病人にとっては好適であり、きめの細かい行き届いた介護が可能となるものである。
【００２６】
なお、天蓋部材９８の骨部材１０５ａ、１０５ｂ、１０５ｃ、１０５ｄにおいては、４本には限られず、その本数の増減は自由にできるものである。また、これら骨部材１０５ａ、１０５ｂ、１０５ｃ、１０５ｄの角度間隔は等間隔あるいは、異っていてもよいものである。さらには、天蓋部材９８の幌布部材１０７としては、アコーデオン状に折り畳みやすい薄手のシート等が好ましく、ナイロンやポリエチレン、ポリエステル等の合成繊維であってもよく、あるいは油等により浸漬処理された撥水性の和紙を用いてもよい。また、天蓋部材９８の使用に当たっては、使用位置への変位に限らず、所望に応じて稼動させるようにしてもよい。
【００２７】
その他、具体的な実施に当たっては，この身辺介護装置の設置場所は、家庭は勿論、病院や診療所等に限定されないことや、天蓋部材９８は、浴槽１の両側に設けてもよく、あるいは枠組み構造１ｂに着脱可能で選択的に取り付けられるようにしてもよい等、本発明の要旨を逸脱しない範囲で種々変形して実施できるものである。
【図面の簡単な説明】
【図１】本発明による身辺介護装置の概略的側面図である。
【図２】身辺介護装置における寝台部の上面図である。
【図３】使用位置での作用を説明するための寝台部の横断面図である。
【図４】寝台板部の浮き上げ装置による位置替えの作用を示す部分断面図である。
【図５】寝台板部の浮き上げ装置による位置替えの態様を示す部分断面図である。
【図６】第１の寝台板部における擦れ吸収機構を主に示すための部分断面図である。
【図７】擦れ吸収機構の作用を示すための部分断面図である。
【図８】就寝位置での弾性シートの作用を示すための拡大断面図である。
【図９】使用位置での弾性シートの作用を示すための拡大断面図である。
【図１０】第２の寝台板部における擦れ吸収機構を主に示すための部分断面図である。
【図１１】第２の寝台板部における擦れ吸収機構を主に示すための部分平面図である。
【図１２】第２の寝台板部における擦れ吸収機構を主に示すための部分断面図である。
【図１３】就寝位置での弾性シートの作用を示すための拡大断面図である。
【図１４】脚位置調整機構の作用を示すための部分断面図である。
【図１５】脚位置調整機構の作用を示すための部分平面図である。
【図１６】使用位置での脚位置調整機構の作用を示すための部分断面図である。
【図１７】天蓋部材を示すための概略的正面図である。
【図１８】天蓋部材における骨部材の支持部を示す拡大断面図である。
【図１９】天蓋部材の使用状態にあるときの縦断面図である。
【図２０】天蓋部材の開き始めるときの部分正面図である。
【図２１】天蓋部材の開き終わる直前の部分正面図である。
【符号の説明】
１  浴槽
２  寝台部
３  第１の寝台板部
４  第２の寝台板部
５  第３の寝台板部
８  脚板部
２６  便器
２７  浮き上げ装置
４５  擦れ吸収機構
４６  スライド枠部（スライド部）
５５  弾性シート
５７  擦れ吸収機構
５８  スライド枠（スライド部）
８１  弾性シート
８３  脚位置調整機構
８４  スライド枠
９８  天蓋部材
１０５ａ〜１０５ｄ  骨部材（骨部）
１０６ａ〜１０６ｄ  腕部
１０７  幌布部材
【図１】
0003673315.tif 000002
【図２】
0003673315.tif 000003
【図３】
0003673315.tif 000004
【図４】
0003673315.tif 000005
【図５】
0003673315.tif 000006
【図６】
0003673315.tif 000007
【図７】
0003673315.tif 000008
【図８】
0003673315.tif 000009
【図９】
0003673315.tif 000010
【図１０】
0003673315.tif 000011
【図１１】
0003673315.tif 000012
【図１２】
0003673315.tif 000013
【図１３】
0003673315.tif 000014
【図１４】
0003673315.tif 000015
【図１５】
0003673315.tif 000016
【図１６】
0003673315.tif 000017
【図１７】
0003673315.tif 000018
【図１８】
0003673315.tif 000019
【図１９】
0003673315.tif 000020
【図２０】
0003673315.tif 000021
【図２１】
0003673315.tif 000022